(57)【要約】【課題】アノードキャップがブラウン管のアノードから外れているときに、電源を投入してもアノードキャップには超高電圧が印加されないようにして、回路部品の破壊を防止できる共に人体被害をも防止できる機能を有するディスプレイ装置を提供する。【解決手段】電源投入時、高圧側接地ラインＧ１と小信号側接地ラインＧ２間に電位差が生じないと、電位差検出用トランジスタ１８はオフのままであり、これにより、電位差検出手段２２は前記電位差を検出せず、接続判定手段２３は、フライバックトランス６のアノードキャップ１６がブラウン管１２のアノードから外れていると判定し、電源制御手段２４は高圧回路１への電源を遮断する。【選択図】      図１
2005003934.tif 000002
【特許請求の範囲】
【請求項１】
少なくともブラウン管とフライバックトランスと水平出力用トランジスタとを含む高圧回路の負極側が接続された高圧側接地ラインと、少なくともデータ処理回路への電源を供給する電源回路の負極側が接続された小信号側接地ラインとを有したディスプレイ装置において、ベースが前記高圧側接地ラインに接続される前記水平出力用トランジスタのエミッタの接地点に接続されると共にエミッタが前記小信号側接地ラインに接続される電位差検出用トランジスタを設け、この電位差検出用トランジスタのコレクタからの信号のレベルに基づいて前記高圧側接地ラインと前記小信号側接地ラインとの間の電位差を検出する電位差検出手段と、前記検出された電位差に基づいて前記フライバックトランスの出力端子からのアノードラインが前記ブラウン管のアノードに正常に接続されているか否かを判定する接続判定手段と、前記アノードラインが正常に接続されていると判定されたときはそのまま前記高圧回路への電源供給を続行し、前記アノードラインが正常に接続されていないと判定されたときは電源供給を遮断する制御を行う電源制御手段とを設け、前記電位差検出手段と接続判定手段と電源制御手段とを前記データ処理回路に備えて構成したことを特徴とするディスプレイ装置。
【請求項２】
少なくともブラウン管とフライバックトランスと水平出力用トランジスタとを含む高圧回路の負極側が接続された高圧側接地ラインと、少なくともデータ処理回路への電源を供給する電源回路の負極側が接続された小信号側接地ラインとを有したディスプレイ装置において、前記高圧側接地ラインと前記小信号側接地ラインとの間の電位差を検出し、この電位差に基づいて、前記高圧回路への電源の供給を続行するか遮断するかの制御を行う制御部を設けたことを特徴とするディスプレイ装置。
【請求項３】
前記電位差を検出するための前記高圧側接地ライン上の検出点は、前記水平出力用トランジスタのエミッタの接地点であることを特徴とする請求項２に記載のディスプレイ装置。
【請求項４】
前記水平出力用トランジスタのエミッタの接地点の信号を検出するために、ベースが前記水平出力用トランジスタのエミッタの接地点に接続されると共に、エミッタが前記小信号側接地ラインに接続される電位差検出用トランジスタを設けたことを特徴とする請求項３に記載のディスプレイ装置。
【請求項５】
前記制御部は、ベースが前記水平出力用トランジスタのエミッタの接地点に接続されると共にエミッタが前記小信号側接地ラインに接続される電位差検出用トランジスタのコレクタからの信号のレベルに基づいて前記高圧側接地ラインと前記小信号側接地ラインとの間の電位差を検出する電位差検出手段と、前記検出された電位差に基づいて前記フライバックトランスの出力端子からのアノードラインが前記ブラウン管のアノードに正常に接続されているか否かを判定する接続判定手段と、前記アノードラインが正常に接続されていると判定されたときはそのまま前記高圧回路への電源供給を続行し、前記アノードラインが正常に接続されていないと判定されたときは電源供給を遮断する制御を行う電源制御手段とを備えたことを特徴とする請求項２に記載のディスプレイ装置。
【請求項６】
前記制御部は前記データ処理回路に備えられることを特徴とする請求項２に記載のディスプレイ装置。
【発明の詳細な説明】
【０００１】
【発明の属する技術分野】
本発明は、ブラウン管を使用するディスプレイ装置に関し、特に、フライバックトランスのアノードキャップの外れによる放電を防止することができる機能を有するディスプレイ装置に関する。
【０００２】
【従来の技術】
従来から、テレビジョン受像機を始め、ビデオシステム、あるいはＯＡ機器などの表示部としてブラウン管を使用したディスプレイ装置が知られている。このようなディスプレイ装置では、ブラウン管を駆動するためにフライバックトランスが備えられている。フライバックトランスは、ブラウン管に水平偏向磁界を発生させると共に、ブラウン管のアノードに印加される超高電圧（例えば２５ＫＶ位）を生成する。この超高電圧は、フライバックトランスの高圧出力端子（プラス端子）から出力され、この高圧出力端子に接続されたアノードラインを介してブラウン管のアノードに印加されるようになっている。詳しくは、このアノードラインの端部には電極を有するアノードキャップが設けられており、このアノードキャップをブラウン管のアノードに接続することにより、フライバックトランスの高圧出力端子からの超高電圧がブラウン管のアノードに供給されるようになっている。
【０００３】
【特許文献１】
実登３０６０９５３号公報
【特許文献２】
特開平３−２３４１７９号公報
【０００４】
【発明が解決しようとする課題】
ところで、このようなディスプレイ装置を工場で組み立て時に、作業者がフライバックトランスのアノードキャップをブラウン管のアノードに接続するのを忘れた場合や、メンテナンス時に、サービスマンがアノードキャップをブラウン管のアノードに接続するのを忘れた場合などにおいて、アノードキャップが、回路部品や基板パターンなどに接触したり、１ｃｍ位以下に近づいた状態になっていたりしているとき、ディスプレイ装置に電源を投入すると、フライバックトランスのアノードキャップが回路部品や基板パターンなどに対して無差別に高圧の放電を開始し、この結果、回路部品が破壊する虞が生じることになる。また、最悪の場合、超高電圧が印加されているアノードキャップが人体に接触すると、放電により人体被害をもたらすこともある。要するに、従来のディスプレイ装置では、アノードキャップが外れている状態で、電源を投入したとき、回路部品の破壊や人体被害などを防止するための対策がなされていなかったので、安全性が劣っていた。
【０００５】
なお、特許文献１のディスプレイ装置は、ブラウン管駆動回路の低圧異常と高圧異常に両方を、その種類と共に検出できるようにしているだけで、アノードキャップがブラウン管のアノードから外れている状態で電源を投入したときの保護対策が施されていないので、上記課題を解決できるものではない。また、特許文献２のテレビジョン受像機の保護回路は、垂直出力の帰線期間の電圧を検出し、この電圧が所定値未満のとき、異常と判断して電源回路を遮断するようにしているだけで、この場合もアノードキャップがブラウン管のアノードから外れている状態で電源を投入したときの保護対策が施されていないので、上記課題を解決できるものではない。
【０００６】
本発明は、上記のような課題を解決するためになされもので、アノードキャップがブラウン管のアノードから外れているときに、電源を投入してもアノードキャップには超高電圧が印加されないようにし、これにより、回路部品の破壊を防止すると共に人体被害をも防止するための機能を有するディスプレイ装置を提供することを目的とする。
【０００７】
【課題を解決するための手段】
上記目的を達成するために請求項１の発明は、少なくともブラウン管とフライバックトランスと水平出力用トランジスタとを含む高圧回路の負極側が接続された高圧側接地ラインと、少なくともデータ処理回路への電源を供給する電源回路の負極側が接続された小信号側接地ラインとを有したディスプレイ装置において、ベースが前記高圧側接地ラインに接続される前記水平出力用トランジスタのエミッタの接地点に接続されると共にエミッタが前記小信号側接地ラインに接続される電位差検出用トランジスタを設け、この電位差検出用トランジスタのコレクタからの信号のレベルに基づいて前記高圧側接地ラインと前記小信号側接地ラインとの間の電位差を検出する電位差検出手段と、前記検出された電位差に基づいて前記フライバックトランスの出力端子からのアノードラインが前記ブラウン管のアノードに正常に接続されているか否かを判定する接続判定手段と、前記アノードラインが正常に接続されていると判定されたときはそのまま前記高圧回路への電源供給を続行し、前記アノードラインが正常に接続されていないと判定されたときは電源供給を遮断する制御を行う電源制御手段とを設け、前記電位差検出手段と接続判定手段と電源制御手段とを前記データ処理回路に備えて構成したことを特徴とするディスプレイ装置を提供する。
【０００８】
この構成のディスプレイ装置において、電源が投入され、高圧側接地ラインと小信号側接地ライン間に電位差が生じると、電位差検出用トランジスタがオンし、これにより、電位差検出手段は前記電位差を検出し、次に、接続判定手段は前記検出された電位差に基づいてフライバックトランスの出力端子からのアノードラインがブラウン管のアノードに正常に接続されていると判定する。そして、電源制御手段は、そのまま高圧回路への電源供給を続行する。
【０００９】
一方、電源投入時、高圧側接地ラインと小信号側接地ライン間に電位差が生じないと、電位差検出用トランジスタはオフのままであり、これにより、電位差検出手段は前記電位差を検出しない。したがって、接続判定手段はフライバックトランスの出力端子からのアノードラインがブラウン管のアノードから外れていると判定し、電源制御手段は、高圧回路への電源を遮断する。
【００１０】
即ち、この請求項１の発明によれば、電源を投入しても、アノードラインがブラウン管のアノードから外れているときは、直ちに高圧回路への電源を遮断するので、フライバックトランスのアノードラインが回路部品や基板パターンなどに対して無差別に高圧の放電を起こすようなことがなくなる。したがって、回路部品の破壊を防止できると共に人体被害などをも防止でき、回路の安全性および作業上の安全性が高まる。
【００１１】
請求項２の発明は、少なくともブラウン管とフライバックトランスと水平出力用トランジスタとを含む高圧回路の負極側が接続された高圧側接地ラインと、少なくともデータ処理回路への電源を供給する電源回路の負極側が接続された小信号側接地ラインとを有したディスプレイ装置において、前記高圧側接地ラインと前記小信号側接地ラインとの間の電位差を検出し、この電位差に基づいて、前記高圧回路への電源の供給を続行するか遮断するかの制御を行う制御部を設けたことを特徴とするディスプレイ装置を提供する。
【００１２】
この構成のディスプレイ装置において、電源投入時に、高圧側接地ラインと小信号側接地ライン間に電位差が生じると、そのまま高圧回路への電源供給を続行する。一方、電源投入時、高圧側接地ラインと小信号側接地ライン間に電位差が生じないと、高圧回路への電源を遮断する。
【００１３】
即ち、この請求項２の発明によれば、電源を投入しても、アノードラインがブラウン管のアノードから外れているときは、直ちに高圧回路への電源を遮断するので、フライバックトランスのアノードラインが回路部品や基板パターンなどに対して無差別に高圧の放電を起こすようなことがなくなる。したがって、回路部品の破壊を防止できると共に人体被害などをも防止でき、回路の安全性および作業上の安全性が高まる。
【００１４】
請求項３の発明では、電位差を検出するための高圧側接地ライン上の検出点は、水平出力用トランジスタのエミッタの接地点であるので、高圧回路の接地ライン上のうちで、最も電位の変化が生じ易い点で検出可能になり、これにより、アノードラインがブラウン管のアノードに正常に接続されているか否かの検出を、精度良く行うために役立てることができる。
【００１５】
請求項４の発明では、水平出力用トランジスタのエミッタの接地点の信号を検出するために、ベースが水平出力用トランジスタのエミッタの接地点に接続されると共に、エミッタが小信号側接地ラインに接続される電位差検出用トランジスタを設けたので、簡単な回路構成により、高圧側接地ラインと小信号側接地ライン間の電位差を検出することが可能になる。
【００１６】
請求項５の発明では、制御部は、ベースが水平出力用トランジスタのエミッタの接地点に接続されると共にエミッタが小信号側接地ラインに接続される電位差検出用トランジスタのコレクタからの信号のレベルに基づいて高圧側接地ラインと小信号側接地ラインとの間の電位差を検出する電位差検出手段と、前記検出された電位差に基づいてフライバックトランスの出力端子からのアノードラインがブラウン管のアノードに正常に接続されているか否かを判定する接続判定手段と、アノードラインが正常に接続されていると判定されたときはそのまま高圧回路への電源供給を続行し、アノードラインが正常に接続されていないと判定されたときは電源供給を遮断する制御を行う電源制御手段とを備えたので、電源が投入され、高圧側接地ラインと小信号側接地ライン間に電位差が生じると、フライバックトランスの出力端子からのアノードラインがブラウン管のアノードに正常に接続されていると判定でき、そのまま高圧回路への電源供給を続行させることができ、一方、電源投入時、高圧側接地ラインと小信号側接地ライン間に電位差が生じないと、フライバックトランスの出力端子からのアノードラインがブラウン管のアノードから外れていると判定でき、高圧回路への電源を遮断することができる。
【００１７】
請求項６の発明では、制御部はデータ処理回路に備えられるので、新たに制御部の回路を設ける必要がなく、簡単に制御部を安価で実現することができる。
【００１８】
【発明の実施の形態】
以下、添付図面を参照しつつ、本発明の実施の形態について説明する。図１は本発明の一実施形態に係るディスプレイ装置における高圧回路およびその周辺回路の構成を示す回路図である。図１において、高圧回路１は、水平偏向回路とも呼ばれ、水平出力用トランジスタ２、ダンパー用ダイオード３、共振用コンデンサ４、ブラウン管１２に備えられている水平偏向コイル５、およびフライバックトランス６を含み構成されている。前記フライバックトランス６は、一次コイル７とヒータ用コイル８と二次コイル９，１０と整流用ダイオード１１とから構成されている。
【００１９】
ラインＬ１には、トランジスタ２のコレクタ、ダンパー用ダイオード３のカソード、コンデンサ４の一端、水平偏向コイル５の一端、およびフライバックトランス６の一次コイル７の一端が接続されている。トランジスタ２のエミッタとダンパー用ダイオード３のアノードとコンデンサ４の他端とは、高圧側接地ラインＧ１に接続されている。
【００２０】
フライバックトランス６の一次コイル７の他端は、ラインＬ６を介して＋Ｂ電源（例えば電圧１１５Ｖ）に接続されている。また、一次コイル７の中間位の所定点は、ラインＬ３を介してダイオード１４のアノードに接続されている。ダイオード１４のカソードはラインＬ５を介してブラウン管１２のカソード回路に接続されている。
【００２１】
ラインＬ５と高圧側接地ラインＧ１間には電界コンデンサ１５が接続されている。水平偏向コイル５の他端はラインＬ６に接続されている。フライバックトランス６のヒータ用コイル８の一端はブラウン管１２のヒータ１３を介して高圧側接地ラインＧ１に接続されている。ヒータ用コイル８の他端は高圧側接地ラインＧ１に接続されている。
【００２２】
フライバックトランス６の二次コイル９，１０間にはダイオード１１が接続されており、二次コイル９の一端はアノードラインＬ２を介してブラウン管１２のアノードに接続されている。アノードラインＬ２の端部はブラウン管１２のアノードに接続するためのアノードキャップ１６を有し、このアノードキャップ１６がブラウン管１２のアノードに接続されることにより、ブラウン管１２は表示動作が可能になる。また、ブラウン管１２の管の周囲は、ラインＬ７を介して高圧側接地ラインＧ１に接続され、接地されている。
【００２３】
水平出力用トランジスタ２のエミッタが高圧側接地ラインＧ１に接続され、接地されている点である接地点ａには、ラインＬ８を介して抵抗１７の一端に接続されている。抵抗１７の他端は電位差検出用トランジスタ１８のベースが接続されている。電位差検出用トランジスタ１８のエミッタは小信号側接地ラインＧ２に接続され、そのコレクタは抵抗１９およびラインＬ９を介して電源回路２０の電源出力端子（例えば５Ｖ出力端子）に接続されている。電源回路２０の負極側はラインＬ１３を介して小信号側接地ラインＧ２に接続されている。
【００２４】
また、電位差検出用トランジスタ１８のコレクタは、ラインＬ１０を介してデータ処理回路としてのマイクロコンピュータ２１の入力端子に接続されている。マイクロコンピュータ２１の電源制御出力端子は、ラインＬ１１を介して映像信号処理回路２５の制御入力端子に接続されている。映像信号処理回路２５としては、例えばクロマＩＣが用いられ、水平同期信号、垂直同期信号、ＲＧＢの色信号などを作成し、出力する。映像信号処理回路２５は、ラインＬ１４に水平同期信号を出力して高圧回路１の水平出力用トランジスタ２のベースに供給する。また、映像信号処理回路２５は、ラインＬ１５を介して垂直偏向回路へ垂直同期信号を供給し、ラインＬ１２を介してＲＧＢ信号をブラウン管１２のカソードに供給する。
【００２５】
マイクロコンピュータ２１は、本実施形態の特徴とする構成要素である電位差検出手段２２と接続判定手段２３と電源制御手段２４とを備えている。電位差検出手段２２は、電位差検出用トランジスタ１８のコレクタからの信号のレベルに基づいて高圧側接地ラインＧ１と小信号側接地ラインＧ２との間の電位差を検出するものである。接続判定手段２３は、電位差検出手段２２で検出された電位差に基づいてフライバックトランス６の出力端子からのアノードラインＬ２がブラウン管１２のアノードに正常に接続されているか否かを判定するものである。電源制御手段２４は、アノードラインＬ２がブラウン管１２のアノードに正常に接続されていると判定されたときはそのまま高圧回路１への電源供給を続行し、アノードラインＬ２がブラウン管１２のアノードに正常に接続されていないと判定されたときは電源供給を遮断する制御を行うものである。なお、電位差検出用トランジスタ１８のベースは、水平出力用トランジスタ２のエミッタの接地点ａに接続して電位差の検出精度を高めているが、高圧側接地ラインＧ１上の他の接地点でも電位差が検出可能であれば、その他の接地点に接続しても良い。
【００２６】
次に図２に示すフローチャートを参照して図１に示す回路の動作について説明する。先ず、本装置の電源が投入されると（ステップＳ１）、電源回路２０から５Ｖの電源がマイクロコンピュータ２１に供給され、これにより、マイクロコンピュータ２１はラインＬ１１を介して映像信号処理回路２５に電源オン信号を供給し、映像信号処理回路２５を動作させる。映像信号処理回路２５が動作するとラインＬ１４に水平同期信号が出力され、ラインＬ１５に垂直同期信号が出力され、ラインＬ１２にＲＧＢ信号が出力される。
【００２７】
ラインＬ１４に出力された水平同期信号は高圧回路１の水平出力用トランジスタ２のベースに供給されると、水平出力用トランジスタ２は水平同期信号によりオン／オフし、水平偏向コイル５に水平同期信号の周期で電流が流れ、ブラウン管１２に水平偏向磁界を発生させる。また、フライバックトランス６の一次コイル７にフライバックパルスが発生し、これにより、二次コイル９，１０には超高圧（例えば２５ＫＶ位）のパルス電圧が誘起され、この超高圧のパルス電圧はアノードラインＬ２を介してブラウン管１２のアノードに印加される。これにより、ブラウン管１２は、ラインＬ１２からのＲＧＢ信号などにより、画像を表示できるようになる。
【００２８】
アノードキャップ１６がブラウン管１２のアノードに正常に接続されており、ブラウン管１２が表示動作が行われているときは、高圧側接地ラインＧ１と小信号側接地ラインＧ２との間で電位差が生じる。高圧回路１およびブラウン管１２の回路などが実装された高圧側の回路基板と、マイクロコンピュータ２１および電源回路２０などが実装された小信号側の回路基板とは、別々の接地ラインで接地されており、高圧側回路のノイズや過度現象的な電圧などの影響でマイクロコンピュータ２１が誤動作しないようにしている。したがって、ブラウン管１２が正常に表示動作が行われているときは、高圧側接地ラインＧ１と小信号側接地ラインＧ２との間で電位差が生じることになる。
【００２９】
前記電位差が生じると、つまり高圧側接地ラインＧ１の電位から低圧側接地ラインＧ２の電位を引いた電位差が生じると、この電位差による電流がラインＬ８を介してトランジスタ１８のベースに流れ、トランジスタ１８がオンする（ステップＳ２）。これにより、トランジスタ１８のコレクタ電位がＬレベルとなる。
【００３０】
そして、マイクロコンピュータ２１においては、電位差検出手段２２はラインＬ９からのＬ信号を検出し（ステップＳ３）、次に、接続判定手段２３は、アノードキャップ１６がブラウン管１２のアノードに正常に接続されていると判定し（ステップＳ４）、更に、電源制御手段２４はラインＬ１１に出力している電源オン信号を継続して出力させ、そのまま映像信号処理回路２５への電源供給を続行する（ステップＳ５）。これにより、映像信号処理回路２５からは水平同期信号などが続行して出力されるので、ブラウン管１２は動作状態が維持されることになる。
【００３１】
一方、装置の電源を投入したときに（ステップＳ１）、高圧側接地ラインＧ１と小信号側接地ラインＧ２との間で電位差が生じなかったとき、電位差検出用トランジスタ１８はオフし（ステップＳ２）、ラインＬ９の信号レベルはＨレベルになる。
【００３２】
マイクロコンピュータ２１においては、電位差検出手段２２はラインＬ９からのＨ信号を検出し（ステップＳ６）、次に、接続判定手段２３は、アノードラインＬ２の端部電極を含むアノードキャップ１６がブラウン管１２のアノードから外れていると判定し（ステップＳ７）、更に、電源制御手段２４はラインＬ１１に出力している電源オン信号を遮断して、映像信号処理回路２５への電源供給を遮断する（ステップＳ８）。これにより、映像信号処理回路２５は動作を停止し、映像信号処理回路２５からは水平同期信号などが出力されなくなるので、アノードラインＬ２には高圧電圧が生じなくなる。
【００３３】
したがって、アノードキャップ１６がブラウン管１２のアノードから外れている状態で、装置の電源を投入しても、アノードラインＬ２には超高電圧が供給されることがないので、アノードキャップ１６の電極と装置内の回路部品等との間で放電が起きることがなくなる。このように本実施形態によれば、従来のように、アノードキャップ１６の電極と回路部品等との間の放電による回路部品が破壊されるようなことがなくなり、また、人体被害をも防止することができる。即ち、本実施形態によれば、工場でのディスプレイ装置の組み立て時やメンテナンス時における作業者によるアノードキャップ１６の接続忘れなどがあって、この状態で電源を投入してもフライバックトランス６は起動しないので、装置内の回路部品の破壊や人体被害などを防止することができる。
【００３４】
なお、フライバックトランス６の接地側端子が、基板のパターンとの半田忘れや半田不良などにより、高圧側接地ラインＧ１に接続されていない状態で、電源を投入してもラインＬ８には電位差が生じず（フライバックトランス６の接地側端子がオープン状態になっているため）、フライバックトランス６への電源は供給されず、フライバックトランス６は起動しないため、フライバックトランス６の接地側端子と高圧側接地ラインＧ１間で放電が発生するようなことがない。フライバックトランス６の接地側端子と高圧側接地ラインＧ１間の接続不良の状態で、フライバックトランス６が起動すると、その接地側端子と高圧側接地ラインＧ１間で放電する場合があるが、このような接続不良の場合は、フライバックトランス６は起動しないようにしているので、放電が起こらず、回路部品の破壊を防止することができる。
【００３５】
【発明の効果】
以上のように本発明によれば、電位差検出用トランジスタを設けると共に、データ処理回路に、電位差検出手段と接続判定手段と電源制御手段とを設けて構成したので、電源が投入され、高圧側接地ラインと小信号側接地ライン間に電位差が生じると、フライバックトランスの出力端子からのアノードラインがブラウン管のアノードに正常に接続されていると判定し、そのまま高圧回路への電源供給を続行し、一方、電源投入時、高圧側接地ラインと小信号側接地ライン間に電位差が生じないと、フライバックトランスの出力端子からのアノードラインがブラウン管のアノードから外れていると判定し、高圧回路への電源を遮断する。
【００３６】
即ち、本発明によれば、電源を投入しても、アノードラインがブラウン管のアノードから外れているときは、直ちに高圧回路への電源を遮断するので、フライバックトランスのアノードラインが回路部品や基板パターンなどに対して無差別に高圧の放電を起こすようなことがなくなる。したがって、回路部品の破壊を防止できると共に人体被害などをも防止でき、回路の安全性および作業上の安全性が高まる。
【００３７】
また、本発明によれば、高圧側接地ラインと小信号側接地ラインとの間の電位差を検出し、この電位差に基づいて、高圧回路への電源の供給を続行するか遮断するかの制御を行う制御部を設けたので、電源を投入しても、アノードラインがブラウン管のアノードから外れているときは、直ちに高圧回路への電源を遮断でき、フライバックトランスのアノードラインが回路部品や基板パターンなどに対して無差別に高圧の放電を起こすようなことがなくなり、したがって、回路部品の破壊を防止できると共に人体被害などをも防止でき、回路の安全性および作業上の安全性が高まる。
【図面の簡単な説明】
【図１】本発明の一実施形態に係るディスプレイ装置における高圧回路およびその周辺回路を示す回路図である。
【図２】前記実施形態におけるマイクロコンピュータの動作を説明するためのフローチャートである。
【符号の説明】
１    高圧回路
２    水平出力用トランジスタ
６    フライバックトランス
１２    ブラウン管
１６    アノードキャップ
１８    電位差検出用トランジスタ
２０    電源回路
２１    マイクロコンピュータ（データ処理回路）
２２    電位差検出手段
２３    接続判定手段
２４    電源制御手段
ａ    接地点
Ｇ１    高圧側接地ライン
Ｇ２    小信号側接地ライン
Ｌ２    アノードライン
【図１】
2005003934.tif 000003
【図２】
2005003934.tif 000004